(57)【要約】【課題】弱った小魚に類似の泳ぎが容易に達成されうるルアー２の提供。【解決手段】本発明に係るルアー２は、ボディ８を備えている。ボディ８は、背部１６、腹部、第一体側部２０及び第二体側部２２を備えている。このボディ８では、第一体側部２０は概ね凸状を呈し、第二体側部２２は概ね凹状を呈している。第一体側部２０には、第一アイ３６が取り付けられている。この第一アイ３６には、ラインが連結される。第二体側部２２には、第二アイ３８及び第三アイ４０が取り付けられている。この第二アイ３８及び第三アイ４０には、フックが連結される。ラインに張力がかかっていない状態では、ルアー２は、第一体側部２０が上向きであり第二体側部２２が下向きである水中姿勢を保つ。ラインが引かれると、第一体側部２０が水受け面となる。ラインが引かれることにより、ルアー２はラインに対して横方向に泳ぐ。【選択図】図２
2007089526.tif 000002
【特許請求の範囲】
【請求項１】
魚に類似の外形を有するボディと、このボディとラインとを連結するためにこのボディに取り付けられたアイとを備えており、
このボディが、背部、腹部、第一体側部及び第二体側部を備えており、
この第一体側部に、上記アイが取り付けられており、
ラインが引かれることにより第一体側部が水受け面となるように構成されたルアー。
【請求項２】
上記アイが、第一体側部の流力中心よりも前端寄りに位置する請求項１に記載のルアー。
【請求項３】
上記ボディが、第一体側部が凸となるように湾曲している請求項１又は２に記載のルアー。
【請求項４】
上記ラインに張力がかかっていない状態において第一体側部が上向きであり第二体側部が下向きである水中姿勢が保たれるように、ボディの重心が設定されている請求項１から３のいずれかに記載のルアー。
【請求項５】
上記アイに連結されたにスイベルをさらに備えており、このアイ及びスイベルを介してボディとラインとが連結されるように構成された請求項１から４のいずれかに記載のルアー。
【発明の詳細な説明】
【技術分野】
【０００１】
本発明は、釣りに用いられるルアーに関する。
【背景技術】
【０００２】
フィッシュイーターと称される大型の魚は、小魚を補食する。フィッシュイーターにとって、逃げる小魚を補食することは、容易なことではない。
【０００３】
日本の鮎は、夏場を清流で過ごす。鮎は、秋には川を下り、河口付近で産卵して、やがて死に絶える。川を下る鮎は、「落ち鮎」と称されている。落ち鮎は体力を消耗しており、泳力に劣る。フィッシュイーターは、容易に落ち鮎を捕食しうる。河口に向かう落ち鮎は、淡水魚であるオオクチバスにとって恰好のベイトである。また、産卵後の落ち鮎は、海水魚であるスズキにとって恰好のベイトである。
【０００４】
ルアー釣りでは、釣り人は、ロッド及びラインを介してルアーに伝わる力によりルアーを泳がせて、魚を誘う。落ち鮎に類似の泳ぎをルアーに起こさせてフィッシュイーターを釣り上げる釣り人が多い。
【０００５】
河口に限らず、湖沼、池、海等でも、弱った小魚はフィッシュイーターにとって恰好のベイトである。これらのフィールドでも、弱った小魚に類似の泳ぎをルアーに起こさせてフィッシュイーターを釣り上げる釣り人が多い。一般的なルアーが、株式会社シマノ発行の「2005 Fishing Tackle Catalogue」に開示されている。
【非特許文献１】株式会社シマノ発行の「2005 Fishing Tackle Catalogue」
【発明の開示】
【発明が解決しようとする課題】
【０００６】
弱った小魚に類似の泳ぎをルアーに起こさせるには、ロッドアクションの工夫が必要である。このロッドアクションには、熟練を要する。しかも、ロッドアクションが駆使されても、ルアーの泳ぎと小魚の泳ぎとの間にはなお隔たりがある。
【０００７】
本発明の目的は、弱った小魚に類似の泳ぎが容易に達成されうるルアーの提供にある。
【課題を解決するための手段】
【０００８】
本発明に係るルアーは、魚に類似の外形を有するボディと、このボディとラインとを連結するためにこのボディに取り付けられたアイとを備える。このボディは、背部、腹部、第一体側部及び第二体側部を備える。アイは、第一体側部に取り付けられている。このルアーでは、ラインが引かれることにより、第一体側部が水受け面となる。
【０００９】
好ましくは、アイは、第一体側部の流力中心よりも前端寄りに位置する。好ましくは、ボディは、第一体側部が凸となるように湾曲している。好ましくは、ボディの重心は、ラインに張力がかかっていない状態において第一体側部が上向きであり第二体側部が下向きである水中姿勢が保たれるように設定されている。
【００１０】
好ましくは、ルアーは、アイに連結されたにスイベルをさらに備える。このアイ及びスイベルを介して、ボディとラインとが連結される。
【発明の効果】
【００１１】
従来のルアーでは、アイは前端又は背部に取り付けられており、頭部上面、リップ等が水受け面である。従来のルアーでは、ラインが引かれることによりルアーが概ねラインの方向に泳ぐ。これに対し、本発明に係るルアーでは、体側部が水受け面なので、ルアーは、ラインに対して横方向に泳ぐ。この泳ぎは、弱った魚に類似する。このルアーでは、弱った魚に類似する泳ぎが簡単に演出される。釣り人は、ラインを引くのみで、フィッシュイーターを釣り上げることができる。
【発明を実施するための最良の形態】
【００１２】
以下、適宜図面が参照されつつ、好ましい実施形態に基づいて本発明が詳細に説明される。
【００１３】
図１は本発明の一実施形態に係るルアー２が示された正面図であり、図２はその平面図であり、図３はその背面図である。図１において、左端がルアー２の前端４であり、右端がルアー２の後端６である。
【００１４】
このルアー２は、ボディ８を備えている。ボディ８は、魚（具体的には鮎）に類似の外形を有する。ボディ８が、鮎以外の魚に類似の形状を呈してもよい。この例では、ボディ８の前部１０は硬質プラスチックからなる。硬質プラスチックとしては、ＡＢＳ樹脂が例示される。前部１０に、浮力調整の目的で、発泡樹脂（例えば硬質ウレタンフォーム）が用いられてもよい。前部１０が、発泡樹脂とこれを覆う外殻樹脂とから構成されてもよい。後部１２は、軟質プラスチックからなる。軟質プラスチックとしては、ポリ塩化ビニルが例示される。後部１２が、生分解性樹脂から構成されてもよい。
【００１５】
このボディ８は、頭部１４、背部１６、腹部１８、第一体側部２０、第二体側部２２及び尾部２４を備えている。この例では、第一体側部２０は左体側に相当し、第二体側部２２は右体側に相当する。このボディ８はさらに、口２６、目玉２８、えら蓋３０、背びれ３２及び腹びれ３４を備えている。
【００１６】
図１において両矢印Ｈで示されているのは、ひれ３２、３４を除くボディ８の全高である。全高Ｈは、ターゲットとなるフィッシュイーターの種やサイズに応じて設定される。通常は、全高Ｈは、７ｍｍから１５ｃｍ程度である。
【００１７】
図２において両矢印Ｌで示されているのは、ボディ８の全長である。全長Ｌは、ターゲットとなるフィッシュイーターの種やサイズに応じて設定される。通常は、全長Ｌは、５ｃｍから３０ｃｍ程度である。
【００１８】
図２から明らかなように、ボディ８は湾曲している。このボディ８では、第一体側部２０は概ね凸状を呈し、第二体側部２２は概ね凹状を呈している。
【００１９】
図２に示されるように、このルアー２は、第一アイ３６、第二アイ３８及び第三アイ４０を備えている。これらのアイ３６、３８、４０は、金属線が曲げられることによって形成されている。金属線の両端は、ボディ８に埋設されている。この埋設により、アイ３６、３８、４０がボディ８に取り付けられている。
【００２０】
図２に示されるように、第一アイ３６は第一体側部２０に取り付けられている。図１に示されるように、第一アイ３６には、スナップリング４２を介してスイベル４４が取り付けられている。スイベル４４の一端は、スナップリング４２に通されている。スイベル４４の他端には、図示されていないラインが結ばれる。第一アイ３６は、本発明にいう「ボディとラインとを連結するためのアイ」である。スイベル４４は、撚り戻し作用を奏する。第一アイ３６とラインとの間にスイベル４４が配されることにより、ルアー２が回転してもラインが撚れない。
【００２１】
図２に示されるように、第二アイ３８及び第三アイ４０は、第二体側部２２に取り付けられている。第二アイ３８は前端４寄りに位置しており、第三アイ４０は後端６寄りに位置している。図３から明らかなように、第二アイ３８には、スナップリング４６を介してフック４８（具体的にはトレブルフック）が取り付けられている。第三アイ４０にも、スナップリング４６を介してフック４８が取り付けられている。トレブルフックに代えて、シングルフック又はダブルフックが、第二アイ３８及び第三アイ４０に取り付けられてもよい。フック４８が取り付けられるアイ３８、４０の位置は、適宜変更されうる。フック４８が取り付けられるアイ３８、４０の数も、適宜変更されうる。
【００２２】
図４は、図１のルアー２の水中姿勢が示された正面図である。この図４に示された状態では、ラインに張力がかかっていない。この図４では、腹部１８が正面から見えており、頭部１４は左側に位置している。この図４において紙面垂直方向手前に、釣り人のロッドが位置している。この図４において符号Ｓで示されているのは、水面である。ルアー２は、その一部が水没した状態で、水に浮いている。もちろん、ルアー２が水にサスペンドするように、比重調整がなされてもよい。ルアー２が水底に沈むように、比重調整がなされてもよい。
【００２３】
この図４から明らかなように、第一体側部２０は上向きであり、第二体側部２２は下向きである。換言すれば、このルアー２の水中姿勢は、魚が倒れた状態に相当する。通常の魚は、背を上向きとし腹を下向きとして泳ぐ。死んだ魚や弱った魚は、倒れた状態で水中に存在することが多い。このルアー２の水中姿勢は、死んだ魚又は弱った魚を演出する。この水中姿勢は、フィッシュイーターにアピールする。この水中姿勢は、ボディ８の重心位置の調整によって達成される。この実施形態では、ボディ８の湾曲によって重心位置が調整されている。
【００２４】
図５は、図４のルアー２にライン５０の張力がかけられた状態が示された平面図である。前述のように第一アイ３６は第一体側部２０に取り付けられているので、張力によって第一体側部２０が引っ張られ、ルアー２が起立する。ライン５０がさらに引かれることにより、第一体側部２０に最も大きな水の抵抗がかかる。換言すれば、第一体側部２０は水受け面である。図５において符号Ｐで示されているのは、第一体側部２０の流力中心である。流力中心とは、第一体側部２０に対して垂直の方向にルアー２が進むときの水抵抗の中心位置である。
【００２５】
図５から明らかなように、第一アイ３６は流力中心Ｐよりも前端４寄りに位置している。ライン５０が矢印Ａの方向に引かれることにより、矢印Ｒ１で示される方向に、ルアー２に対してモーメントがかかる。このモーメントにより、ルアー２は、実線で示されるように、斜めを向く。ライン５０が矢印Ａの方向にさらに引かれると、ルアー２には、図５中左向きに揚力がかかる。この揚力とライン５０の張力とにより、ルアー２は、頭部１４を先頭にして矢印Ｂの方向へと泳ぐ。この泳ぎの方向は、ライン５０の方向とは大きくずれている。従来のルアーは、ライン５０が引かれることで、ライン５０と同じ方向に泳ぐか、ライン５０に対して多少ジグザグに泳ぐかのいずれかである。本発明に係るルアー２の泳ぎは、従来のルアーのそれとは大きく異なる。この泳ぎは、フィッシュイーターにアピールする。
【００２６】
前述のようにボディ８は湾曲しており、水受け面である第一体側部２０は凸状である。換言すれば、ライン５０が引かれたときのボディ８の姿勢は、流線型に近い。この姿勢により、ボディ８の泳ぎは安定する。
【００２７】
ロッドの先端が小刻みに連続して動かされる動作は、トゥイッチングと称される。トゥイッチングにより、ルアー２にライン５０の張力がかかった状態とかからない状態とが交互に生じる。ライン５０が間欠的に引かれることによっても、ルアー２にライン５０の張力がかかった状態とかからない状態とが交互に生じる。これらの動作により、倒れた姿勢（図４参照）と起立した姿勢（図５参照）とが繰り返されつつ、ルアー２が泳ぐ。この泳ぎは、弱った魚の泳ぎに類似する。この泳ぎは、フィッシュイーターに大きくアピールする。
【００２８】
ライン５０が強く引かれると、頭部１４の上面も水受け面となり、ルアー２に鉛直方向下向きの力がかかる。この力により、ルアー２は頭部１４をほぼ下に向けた姿勢で水に潜る。ボディ８が湾曲していること等に起因して、ルアー２は回転しつつ潜る。この段階でライン５０の張力が緩められると、ルアー２は浮上する。浮上後のルアー２の前後方向は、回転の程度に依存する。ルアー２が約１８０°回転すれば、ルアー２の前後が反転する。図６には、反転したルアー２の水中姿勢が示されている。この図６に示された状態では、ライン５０に張力がかかっていない。この図６では、背部１６が正面から見えており、頭部１４は右側に位置している。この図６において紙面垂直方向手前に、釣り人のロッドが位置している。ルアー２は、その一部が水没した状態で、水に浮いている。前述のようにボディ８の重心位置が調整されているので、第一体側部２０は上向きであり、第二体側部２２は下向きである。
【００２９】
図７は、図６のルアー２にライン５０の張力がかけられた状態が示された平面図である。前述のように第一アイ３６は第一体側部２０に取り付けられているので、張力によって第一体側部２０が引っ張られ、ルアー２は腹部１８が上を向く姿勢を取る。第一アイ３６は流力中心Ｐよりも前端４寄りに位置しているので、ライン５０が矢印Ａの方向に引かれることにより、矢印Ｒ２で示される方向に、ルアー２に対してモーメントがかかる。このモーメントにより、ルアー２は、実線で示されるように、斜めを向く。ライン５０が矢印Ａの方向にさらに引かれると、ルアー２には、図７中右向きに揚力がかかる。この揚力とライン５０の張力とにより、ルアー２は、頭部１４を先頭にして矢印Ｃの方向へと泳ぐ。この泳ぎの方向は、ライン５０の方向とは大きくずれている。本発明に係るルアー２の泳ぎは、従来のルアーのそれとは大きく異なる。この泳ぎは、フィッシュイーターにアピールする。
【００３０】
従来のルアーでは、背部が上を向く水中姿勢が維持されるように、その重心位置が調整されている。従って、腹部が上を向いた状態での泳ぎは、不安定である。本発明に係るルアー２では、第一体側部２０が上を向く水中姿勢が維持されるようにその重心位置が調整されているので、図７に示されるような、腹部１８が上を向く姿勢であっても、泳ぎが安定する。
【００３１】
ルアー２にライン５０の張力がかかった状態とかからない状態とが交互に生じると、倒れた姿勢（図６参照）と腹部１８を上に向けた姿勢（図７参照）とが繰り返されつつ、ルアー２が泳ぐ。この泳ぎは、弱った魚の泳ぎに類似する。この泳ぎは、フィッシュイーターに大きくアピールする。
【００３２】
図８は、図１のルアー２の使用手順が示された平面図である。この図８において符号５２で示されているのは、ロッドである。キャスティングにより、ルアー２は飛行して、ポイントＰ１に着水する。この段階ではルアー２にライン５０の張力がかかっていない。ルアー２は、図４に示されるように、第一体側部２０を上に向け腹部１８をロッド５２に向けた姿勢で、水に浮いている。図８では、ポイントＰ１において、第一体側部２０が見えている。
【００３３】
ルアー２にライン５０の張力がかかると、図５に示されるように、ルアー２は、背部１６を上に向けた姿勢で泳ぐ。泳ぎの方向は、ライン５０に対して横方向である。ルアー２は、図８に示されたポイントＰ２を通過し、ポイントＰ３へと至る。図８では、ポイントＰ２において、背部１６が見えている。ポイントＰ１からポイントＰ３に至る間、ライン５０の張力がかかった状態とかからない状態とが交互に繰り返された場合は、第一体側部２０を上に向けた姿勢と背部１６を上に向けた姿勢とが交互に現れる。
【００３４】
ポイントＰ３においてライン５０が急に強く引かれると、前述のようにルアー２は回転しつつ水に潜る。この段階でライン５０の張力が緩められると、ルアー２は浮上し、ルアー２の前後が反転する。この段階でライン５０の張力がかからないと、ルアー２は、図６に示されるように、第一体側部２０を上向きにし背部１６をロッド５２に向けた姿勢で、水に浮いている。図８では、ポイントＰ３において、第一体側部２０が見えている。
【００３５】
ルアー２にライン５０の張力がかかると、図７に示されるように、ルアー２は、腹部１８を上に向けた姿勢で泳ぐ。泳ぎの方向は、ライン５０に対して横方向である。ルアー２は、図８に示されたポイントＰ４を通過し、ポイントＰ５へと至る。図８では、ポイントＰ４において、腹部１８が見えている。ポイントＰ３からポイントＰ５に至る間、ライン５０の張力がかかった状態とかからない状態とが交互に繰り返された場合は、第一体側部２０を上に向けた姿勢と腹部１８を上に向けた姿勢とが交互に現れる。
【００３６】
図８から明らかなように、ルアー２は、ロッド５２に対して左右に移動しつつ泳ぐ。しかも、左方向への泳ぎと右方向への泳ぎとが、繰り返される。この泳ぎは、フィッシュイーターにアピールする。
【００３７】
このルアー２をベイトと勘違いしたフィッシュイーターは、ルアー２に食いつく。するとフック４８がフィッシュイーターに突き刺さり、フィッシュイーターが釣り上げられる。このルアー２の泳ぎは弱った小魚に極めて似ているので、フィッシュイーターが食いつきやすい。ロッドアクションの技量に劣る釣り人であっても、このルアー２を使用することにより、容易にフィッシュイーターを釣り上げることができる。
【００３８】
図１において両矢印Ｈ１で示されているのは、ひれ３２、３４を除くボディ８の最高箇所と第一アイ３６との距離である。フィッシュイーターへのアピールの観点から、全高Ｈに対する距離Ｈ１の比率は１５％以上８５％以下が好ましく、２５％以上７５％以下がより好ましい。
【００３９】
図２において、両矢印Ｌ１で示されているのは前端４と第一アイ３６との距離であり、両矢印Ｌ２で示されているのは第一アイ３６と流力中心Ｐとの距離である。フィッシュイーターへのアピールの観点から、全長Ｌに対する距離Ｌ１の比率は３％以上２５％以下が好ましく、６％以上２２％以下がより好ましい。フィッシュイーターへのアピールの観点から、全長Ｌに対する距離Ｌ２の比率は２％以上２０％以下が好ましく、５％以上１５％以下がより好ましい。
【産業上の利用可能性】
【００４０】
本発明に係るルアーは、湖沼、池、ダム、川、海等の種々のフィールドでの釣りに適している。
【図面の簡単な説明】
【００４１】
【図１】図１は、本発明の一実施形態に係るルアーが示された正面図である。
【図２】図２は、図１のルアーが示された平面図である。
【図３】図３は、図１のルアーが示された背面図である。
【図４】図４は、図１のルアーの水中姿勢が示された正面図である。
【図５】図５は、図４のルアーにラインの張力がかけられた状態が示された平面図である。
【図６】図６は、図１のルアーの他の水中姿勢が示された正面図である。
【図７】図７は、図６のルアーにラインの張力がかけられた状態が示された平面図である。
【図８】図８は、図１のルアーの使用手順が示された平面図である。
【符号の説明】
【００４２】
２・・・ルアー
８・・・ボディ
１４・・・頭部
１６・・・背部
１８・・・腹部
２０・・・第一体側部
２２・・・第二体側部
２４・・・尾部
３６・・・第一アイ
３８・・・第二アイ
４０・・・第三アイ
４４・・・スイベル
４８・・・フック
５０・・・ライン
５２・・・ロッド
【図１】
2007089526.tif 000003
【図２】
2007089526.tif 000004
【図３】
2007089526.tif 000005
【図４】
2007089526.tif 000006
【図５】
2007089526.tif 000007
【図６】
2007089526.tif 000008
【図７】
2007089526.tif 000009
【図８】
2007089526.tif 000010